(57)【特許請求の範囲】
【請求項１】
外周と内周がそれぞれ同心で半径の異なる円弧状となったセグメント鉄心片が、半径方向外側位置にある連結部で繋がった帯状鉄心片を、該連結部で折り曲げて隣り合う前記セグメント鉄心片の側端部を合せると共に、上下の隣り合う層に設けられる前記連結部同士を周方向にずらしながら螺旋状に巻回して、前記セグメント鉄心片に設けたかしめ部を介してかしめ積層する積層鉄心の製造方法において、
前記連結部の折り曲げ時に形成される前記セグメント鉄心片の厚さ方向の膨出部分を平らにする潰し加工を、上下に配置された前記セグメント鉄心片同士をかしめ積層するのと同時に行うことを特徴とする積層鉄心の製造方法。
【請求項２】
請求項１記載の積層鉄心の製造方法において、前記潰し加工は、既にかしめ積層された前記セグメント鉄心片Ａと該セグメント鉄心片Ａに連結し次にかしめ積層される前記セグメント鉄心片Ｂを繋ぐ前記連結部に形成された前記膨出部分に対して行われることを特徴とする積層鉄心の製造方法。
【請求項３】
請求項２記載の積層鉄心の製造方法において、折り曲げられた前記連結部の外側に半径方向内側に窪む切欠きを設けて、該切欠きに前記膨出部分の潰し加工を行った際に前記セグメント鉄心片の半径方向外側に突出する変形部分を収容することを特徴とする積層鉄心の製造方法。
【発明の詳細な説明】
【技術分野】
【０００１】
本発明は、連結部を介してセグメント鉄心片が繋がった帯状鉄心片を連結部で折り曲げて螺旋状に巻回しながら積層して形成する積層鉄心の製造方法に関する。
【背景技術】
【０００２】
例えば、特許文献１には、図５に示すように、セグメント鉄心片８０が回動可能な連結部８１で繋がった帯状鉄心片８２を連結部８１で折り曲げ螺旋状に巻回しながら、セグメント鉄心片８０に設けたかしめ部８３を介してかしめ積層する積層鉄心の製造装置８４が開示されている。この製造装置８４を用いて積層鉄心を製造する場合、帯状鉄心片８２を連結部８１で折り曲げる際に、連結部８１の厚さ方向に膨出部分が発生し、この膨出部分により上下に隣り合うセグメント鉄心片８０の間に隙間が発生し、得られる積層鉄心の厚さにばらつきが生じていた。
ここで、符号８５は帯状鉄心片８２を巻回の開始位置まで案内する搬送レーン、符号８６はセグメント鉄心片８０を位置決めするパイロットピン、符号８７はパイロットピン８６の挿通孔、符号８８は搬送レーン８５に沿って移動する帯状鉄心片８２を上から押圧する押えローラ、符号８９は巻回し積層された帯状鉄心片８２を内側から支持するドラム、符号９０、９１は巻回し積層された帯状鉄心片８２の外周部及び最上部にそれぞれ当接する側面押えローラ、上側押えローラである。また、符号９２は最上部のセグメント鉄心片８０のかしめ部８３を押圧して下側のセグメント鉄心片８０にかしめ積層するプッシュピン、符号９３はパイロットピン８６及びプッシュピン９２を備えたかしめ金型である。
【０００３】
このため、例えば、特許文献２には、図６（Ａ）、（Ｂ）に示すように、連結部９４を介してセグメント鉄心片９５が繋がった帯状鉄心片９６を、連結部９４で折り曲げ螺旋状に巻回しながら、上下のセグメント鉄心片９５をかしめ積層して積層鉄心９７を形成する際、セグメント鉄心片９５の外周側に予め切欠き又は孔からなる収容部９８を設けておき、上下に配置されるセグメント鉄心片９５の収容部９８に、折り曲げた連結部９４に発生した膨出部分９９を収めることにより、セグメント鉄心片９５間の隙間発生を防止することが記載されている。
また、特許文献３には、図７に示すように、部分ヨーク鉄心片１００を繋ぐ連結部１０１を薄肉化することによって、連結部１０１を折り曲げた際に形成される膨出部分１０２を収める逃げ部１０３を部分ヨーク鉄心片１００内に予め形成しておき、部分ヨーク鉄心片１００を積層する際に生じる隙間（積層間隔の増長）の防止とかしめ強度低下の防止を図った固定子用積層鉄心１０４が開示されている。
【先行技術文献】
【特許文献】
【０００４】
【特許文献１】特開２０１１−１８８６５１号公報
【特許文献２】特許第４１５０３９７号公報
【特許文献３】特許第３１７１３０３号公報
【発明の概要】
【発明が解決しようとする課題】
【０００５】
しかしながら、特許文献２に記載の積層鉄心９７ではセグメント鉄心片９５に収容部９８を、特許文献３に記載の固定子用積層鉄心１０４では部分ヨーク鉄心片１００に逃げ部１０３をそれぞれ形成するので、磁気特性が悪くなるという問題がある。更に、特許文献２に記載の積層鉄心９７を回転子に用いた場合、回転時に異音発生するという問題がある。
【０００６】
本発明はかかる事情に鑑みてなされたもので、連結部を介してセグメント鉄心片が繋がった帯状鉄心片を連結部で折り曲げて螺旋状に巻回して積層する際に、連結部に形成されるセグメント鉄心片の厚さ方向の膨出部分に影響されることなく、セグメント鉄心片を隙間なく積層することが可能な積層鉄心の製造方法を提供することを目的とする。
【課題を解決するための手段】
【０００７】
前記目的に沿う本発明に係る積層鉄心の製造方法は、外周と内周がそれぞれ同心で半径の異なる円弧状となったセグメント鉄心片が、半径方向外側位置にある連結部で繋がった帯状鉄心片を、該連結部で折り曲げて隣り合う前記セグメント鉄心片の側端部を合せると共に、上下の隣り合う層に設けられる前記連結部同士を周方向にずらしながら螺旋状に巻回して、前記セグメント鉄心片に設けたかしめ部を介してかしめ積層する積層鉄心の製造方法において、
前記連結部の折り曲げ時に形成される前記セグメント鉄心片の厚さ方向の膨出部分を平らにする潰し加工を、上下に配置された前記セグメント鉄心片同士をかしめ積層するのと同時に行う。
【０００８】
本発明に係る積層鉄心の製造方法において、前記潰し加工は、既にかしめ積層された前記セグメント鉄心片Ａと該セグメント鉄心片Ａに連結し次にかしめ積層される前記セグメント鉄心片Ｂを繋ぐ前記連結部に形成された前記膨出部分に対して行われることが好ましい。
【０００９】
本発明に係る積層鉄心の製造方法において、折り曲げられた前記連結部の外側に半径方向内側に窪む切欠きを設けて、該切欠きに前記膨出部分の潰し加工を行った際に前記セグメント鉄心片の半径方向外側に突出する変形部分を収容することが好ましい。
【発明の効果】
【００１０】
本発明に係る積層鉄心の製造方法においては、連結部の折り曲げ時に形成されるセグメント鉄心片の厚さ方向の膨出部分を平らにする潰し加工を、上下に配置されたセグメント鉄心片同士をかしめ積層するのと同時に行うと、連結部の一側のセグメント鉄心片は、既に形成された環状の積層体にかしめ積層されて固定状態となっており、連結部の他側にあってかしめ積層されるセグメント鉄心片は、積層体に対して位置決めされているので、膨出部分の潰し加工に伴ってセグメント鉄心片が円周方向に移動することを防止できる。
そして、膨出部分が平らになって、折り曲げられた連結部の厚さはセグメント鉄心片の厚さと同一になるので、この連結部の上にセグメント鉄心片を配置してかしめ積層を行った際、上下に隣り合うセグメント鉄心片間に隙間が生じることを防止できる。その結果、積層鉄心の厚みが均一になって形状精度が向上すると共に、かしめ結合強度が向上する。
更に、従来のように、セグメント鉄心片に収容部を形成したり、セグメント鉄心片を薄肉化して逃げ部を形成することがないため、回転時に異音の発生がなく、磁気特性も向上する。
【００１１】
本発明に係る積層鉄心の製造方法において、潰し加工が、既にかしめ積層されたセグメント鉄心片Ａとセグメント鉄心片Ａに連結し次にかしめ積層されるセグメント鉄心片Ｂとを繋ぐ連結部に形成された膨出部分に対して行われる場合、潰し加工とかしめ積層を同一の工程で実施することができ、積層鉄心の生産性が向上する。
【００１２】
本発明に係る積層鉄心の製造方法において、連結部の外側に半径方向内側に窪む切欠きを設けて、膨出部分の潰し加工を行った際にセグメント鉄心片の半径方向外側に突出する変形部分を切欠きに収容する場合、積層鉄心の外周側の形状及び寸法精度が向上する。
【図面の簡単な説明】
【００１３】
【図１】本発明の一実施の形態に係る積層鉄心の製造方法で使用する連結部で繋がったセグメント鉄心片の平面図である。
【図２】同積層鉄心の製造方法で使用する積層鉄心の製造装置の正面図である。
【図３】同積層鉄心の製造方法で使用する積層鉄心の製造装置の一部省略平面図である。
【図４】（Ａ）は同積層鉄心の製造方法における折り曲げ前の連結部、（Ｂ）は折り曲げ後の連結部、（Ｃ）は潰し加工後の連結部の説明図である。
【図５】従来例に係る積層鉄心の製造装置の説明図である。
【図６】（Ａ）、（Ｂ）は従来例に係る積層鉄心の説明図である。
【図７】従来例に係る固定子用積層鉄心の説明図である。
【発明を実施するための形態】
【００１４】
続いて、添付した図面を参照しつつ、本発明を具体化した実施の形態につき説明し、本発明の理解に供する。
本発明の一実施の形態に係る積層鉄心の製造方法は、図１に示すように、外周と内周がそれぞれ同心で半径の異なる円弧状となったセグメント鉄心片１０が、半径方向外側位置にある連結部１１で繋がった帯状鉄心片１２を、連結部１１で折り曲げて隣り合うセグメント鉄心片１０の側端部１３、１３ａを合せると共に、上下の隣り合う層に設けられる連結部１１同士を周方向にずらしながら螺旋状に巻回して、セグメント鉄心片１０に設けたかしめ部１４を介してかしめ積層することにより積層鉄心（図示せず）を製造する方法である。
先ず、本実施の形態に係る積層鉄心の製造方法で使用する帯状鉄心片１２及び積層鉄心を製造する積層鉄心の製造装置１５（以下、単に製造装置１５という）についてそれぞれ説明した後、本実施の形態に係る積層鉄心の製造方法について説明する。
【００１５】
帯状鉄心片１２は、例えば厚さが０．５ｍｍ以下程度の電磁鋼板から打ち抜き形成される。セグメント鉄心片１０のかしめ部１４は、セグメント鉄心片１０の内周側に内周に沿って複数（図１では６つ）設けられている。そして、かしめ部１４は上側が窪んで形成され、下側がその上側の窪みに応じて下方に突出して形成されている。従って、上下に配置されたセグメント鉄心片１０は、上側にあるセグメント鉄心片１０のかしめ部１４の突出した部分が、下側にあるセグメント鉄心片１０のかしめ部１４の窪みに嵌合して固定される。なお、巻回される帯状鉄心片１２において、最下層（第１層）に配置されるセグメント鉄心片１０のかしめ部１４は貫通孔になっており、第２層に配置されるセグメント鉄心片１０のかしめ部１４の突出した部分が、この貫通孔に嵌合わされる。
【００１６】
セグメント鉄心片１０の半径方向内側には、内周に開口した、例えば正方形又は矩形の掛止凹部１６が複数（図１では２つ）形成されている。また、セグメント鉄心片１０の半径方向外側には、外周に沿って、例えば、矩形の磁石孔１９が複数（図１では３つ）形成され、各磁石孔１９に対向してセグメント鉄心片１０の半径方向内側の位置に、対となるかしめ部１４が設けられている。そして、隣り合うかしめ部１４の周方向中間部の半径方向外側の位置には、帯状鉄心片１２を巻回して上下のセグメント鉄心片１０をかしめ積層する際にセグメント鉄心片１０の位置決めを行うパイロットピン１７（図２参照）の先側が挿通するパイロット孔１８が複数（図１では３つ）形成されている。
【００１７】
半径方向外側位置にある連結部１１の更に半径方向外側には半径方向内側に窪む切欠き２０が設けられ、連結部１１の半径方向内側には平面視してＵ字状の内側切欠き２１が設けられている。これによって、連結部１１を折り曲げた際に、半径方向外側に突出する変形部分を切欠き２０内に収容することができると共に、隣り合う側端部１３、１３ａの半径方向外側領域同士が干渉することを防止できる。更に、隣り合うセグメント鉄心片１０の一方の側端部１３の半径方向内側領域には凹部２２が、他方の側端部１３ａの半径方向内側領域には凹部２２に嵌合する凸部２３がそれぞれ設けられて係合部２４を構成している。これによって、隣り合うセグメント鉄心片１０の側端部１３、１３ａを合わせる際の位置決めと、合わせた後に側端部１３、１３ａ同士が半径方向にずれることを防止できる。
【００１８】
製造装置１５は、図２、図３に示すように、リール（図示せず）から供給される帯状鉄心片１２を案内する搬送レーン２５と、帯状鉄心片１２を連結部１１で折り曲げ、連続するセグメント鉄心片１０を螺旋状に巻回して積層しながら載置するリング状の回転台２６を備えた巻回手段２７と、積層されたセグメント鉄心片１０を位置決めするパイロットピン１７及びかしめ部１４を押圧して上下に積層されたセグメント鉄心片１０をかしめ結合するかしめピン２９及び連結部１１の膨出部分３０（図４参照）を押して平らにする潰しピン３１を有するかしめ押圧金型３２を備えたかしめ潰し手段３３とを有している。
【００１９】
搬送レーン２５は、立設された支持部材３４で水平状態に保たれている。そして、搬送レーン２５の上部には、搬送レーン２５上を移動する帯状鉄心片１２を上方から押圧する押えローラ３５が、回転軸を搬送方向に直交させて複数配置されている。これによって、搬送レーン２５上を移動する帯状鉄心片１２が浮き上がることを防止して、巻回手段２７内の巻回開始位置に帯状鉄心片１２を安定した状態で供給することができる。
【００２０】
巻回手段２７は、回転台２６を載置する円盤台３６を備えた回転テーブル３７と、回転テーブル３７の下面中央に取り付けられた回転軸３８と、回転軸３８に動力伝達ベルト３９を介して接続する駆動モータ４０とを有している。そして、円盤台３６の外周部には、等間隔で配置された複数の位置決め溝４１が形成されている。また、回転テーブル３７には、回転台２６の内周部及び巻回されて積層した帯状鉄心片１２の内側に、外周部を当接するリング状のドラム４２が装着されている。ここで、円盤台３６、ドラム４２、及び回転台２６は、回転テーブル３７の回転軸３８を中心に同一の回転速度で回転する。
なお、巻回手段２７は、回転台２６上で、巻回されている帯状鉄心片１２の巻回開始位置にある部位が、搬送レーン２５と略同一高さ位置となるように昇降する図示しない昇降機構が設けられている。
【００２１】
ドラム４２の外周部には、セグメント鉄心片１０の掛止凹部１６に先側が挿入される突起部４３が設けられている。そして、帯状鉄心片１２の巻回開始位置において、セグメント鉄心片１０の掛止凹部１６に突起部４３の先側を挿入することにより、ドラム４２とセグメント鉄心片１０（帯状鉄心片１２）の位置決めが行われる。
【００２２】
かしめ潰し手段３３は、かしめ押圧金型３２と、かしめ押圧金型３２を保持する可動台４７と、可動台４７を上下動する昇降駆動機構４８とを有している。ここで、昇降駆動機構４８は、図示しない固定フレームに水平状態で固定されたベースプレート４９と、ベースプレート４９に並べて立設された対となるガイドロッド５０、５１と、ガイドロッド５０、５１の上端部に左右両側がそれぞれ固定される水平プレート５２と、水平プレート５２の中央部に取り付けられ、ピストンロッド５３の先端部が可動台４７と連結する油圧シリンダ５４とを有している。なお、ベースプレート４９の中央部には、回転テーブル３７の回転軸３８が挿通されている。
【００２３】
また、ベースプレート４９の上部には、かしめ押圧金型３２とセグメント鉄心片１０の位置合せを行う固定部材６４が配置されている。固定部材６４は、位置決めピン６５を有し、この位置決めピン６５を円盤台３６の位置決め溝４１に嵌入して、かしめ押圧金型３２と回転台２６に載ったセグメント鉄心片１０との位置決めを行う。そして、セグメント鉄心片１０は、回転台２６と同軸上で同一回転速度で回転するドラム４２に対して位置決めされた状態となっているので、セグメント鉄心片１０は上下で巻回方向にずれを生じることなく積層される。その結果、上下のセグメント鉄心片１０をかしめ積層して形成される積層鉄心では、磁石孔１９が中心位置を合せて上下に連続配置されることになって、積層鉄心において磁石挿入孔が形成される。
【００２４】
更に、製造装置１５には、巻回手段２７によって巻回されて積層した帯状鉄心片１２の外周部及び最上部にそれぞれ当接する複数の側面押えローラ４４及び複数の上側押えローラ４５が設けられている。側面押えローラ４４は、図示しない支持部材に回転可能に取り付けられ、当接するセグメント鉄心片１０をドラム４２側に押圧して、セグメント鉄心片１０の掛止凹部１６と突起部４３の固定状態を保持している。上側押えローラ４５は、図示しない固定フレームに固定された高さ調整部材４６（図３では１つのみ記載している）に回転可能に取り付けられ、巻回し積層された帯状鉄心片１２の最上部にあるセグメント鉄心片１０が、その下側にあるセグメント鉄心片１０から浮き上がった状態になるのを回避している。
【００２５】
可動台４７に保持機構５５を介して保持されて昇降するかしめ押圧金型３２は、複数（図３では３本）のパイロットピン１７、複数（図３では６本）のかしめピン２９、及び１本の潰しピン３１を内側にそれぞれ備える箱状枠体５６と、箱状枠体５６の上部に密接し、可動台４７と隙間を有して水平配置された板状の上型５７を備えている。各パイロットピン１７、各かしめピン２９、及び潰しピン３１は、基端部を上型５７の底部に固定して、それぞれの軸心は可動台４７の昇降方向に沿って配置されている。更に、かしめ押圧金型３２には、巻回手段２７によって巻回されたセグメント鉄心片１０（帯状鉄心片１２）を内側に押圧してドラム４２に押し当てる棒状の側面押圧部材５８が設けられている。
【００２６】
ここで、潰しピン３１は、帯状鉄心片１２を連結部１１で折り曲げて隣り合うセグメント鉄心片１０の側端部１３、１３ａを合せながら螺旋状に巻回して積層させた際の最上面に現れる連結部１１の上方に配置される（対向する）ように箱状枠体５６内に設けられている。また、各パイロットピン１７及び各かしめピン２９は、潰しピン３１と対向する連結部１１より上流側（リール側）のセグメント鉄心片１０の各パイロット孔１８及び各かしめ部１４の上方にそれぞれ配置されるように箱状枠体５６内に設けられている。
【００２７】
以上の構成とすることで、例えば、既にかしめ積層されたセグメント鉄心片（セグメント鉄心片Ａ）１０とこれからかしめ積層される（上流側、即ちリール側の）セグメント鉄心片（セグメント鉄心片Ｂ）１０とを繋いでいる連結部１１の上方に潰しピン３１を配置することができると共に、上流側のこれからかしめ積層するセグメント鉄心片１０の各パイロット孔１８及び各かしめ部１４の上方にそれぞれ各パイロットピン１７及び各かしめピン２９を配置することができる。
【００２８】
そこで、かしめ押圧金型３２を可動台４７と共に降ろすことにより、パイロットピン１７、かしめピン２９、及び潰しピン３１を各軸心方向に下降させて、かしめ押圧金型３２の箱状枠体５６の直下にあり側面押圧部材５８によって固定状態となってこれからかしめ積層するセグメント鉄心片１０のパイロット孔１８にパイロットピン１７を挿通させることにより、かしめピン２９とかしめ部１４との位置決め、潰しピン３１と連結部１１（膨出部分３０）との位置決めをそれぞれ行うことができる。そして、かしめ部１４をかしめピン２９の先端部で押下して、かしめ部１４を押下しているセグメント鉄心片１０の直下にあるセグメント鉄心片１０のかしめ部１４に嵌め合わせることができると共に、膨出部分３０を潰して押して平らにすることができる。
【００２９】
可動台４７にかしめ押圧金型３２を保持する保持機構５５は、かしめ押圧金型３２と間隔を有してかしめ押圧金型３２の前両側にそれぞれ配置された前移動制限部材５９、６０と、かしめ押圧金型３２の後側に配置された後移動制限部材６１と、かしめ押圧金型３２の左右にそれぞれ配置された保持アーム６２、６３とを有している。ここで、前移動制限部材５９、６０は、基部が可動台４７の下部に軸心を垂直にして固定されている。これによって、かしめ押圧金型３２を、可動台４７に対して、前、後移動制限部材５９、６０、６１で制限された範囲内で移動可能にすることができる。
【００３０】
なお、回転台２６には、パイロットピン１７及びかしめピン２９の先部がそれぞれ挿入可能な挿入孔（図示せず）が形成されている。また、回転台２６の上端部には、かしめ押圧金型３２の箱状枠体５６の直下にあるセグメント鉄心片１０が水平状態になるように、螺旋状に巻回された最下層の帯状鉄心片１２の下面に当接して環状となった帯状鉄心片１２の軸心方向を垂直に保持する図示しない回転台傾斜手段が設けられている。更に、可動台４７には、ガイドロッド５０、５１の軸心に対して垂直な方向から一定角度範囲で首振り可能な第１の傾斜機構（図示せず）が、かしめ押圧金型３２には、パイロットピン１７、かしめピン２９、及び潰しピン３１の各軸心を可動台４７に対して垂直に保つ第２の傾斜機構（図示せず）がそれぞれ設けられている。このような構成とすることにより、上下に配置されたセグメント鉄心片１０のかしめ積層と、連結部１１に形成された膨出部分３０の平坦化を確実に行うことができる。
【００３１】
続いて、本発明の一実施の形態に係る積層鉄心の製造方法について説明する。
本実施の形態に係る積層鉄心の製造方法では、図１に示すように、連結部１１で繋がった円弧状のセグメント鉄心片１０を、連結部１１で折り曲げて隣り合うセグメント鉄心片１０の側端部１３、１３ａを合せると共に、上下の隣り合う層に設けられる連結部１１同士を周方向にずらしながら螺旋状に巻回して、セグメント鉄心片１０に設けたかしめ部１４を介してかしめ積層して、積層鉄心を製造している。このとき、図４（Ａ）に示す連結部１１を折り曲げて隣り合うセグメント鉄心片１０の側端部１３、１３ａを合せると、図４（Ｂ）に示すように、連結部１１には、セグメント鉄心片１０の厚さ方向に膨らんだ膨出部分３０が形成される。
【００３２】
このため、かしめ潰し手段３３のかしめ押圧金型３２を下降させて、かしめ押圧金型３２の箱状枠体５６の直下にあるセグメント鉄心片１０のパイロット孔１８にパイロットピン１７を挿通させて、かしめピン２９とかしめ部１４との位置決め及び潰しピン３１と連結部１１の膨出部分３０との位置決めをそれぞれ行う。次いで、箱状枠体５６の直下にあるセグメント鉄心片１０のかしめ部１４をかしめピン２９の先端部で押下して、かしめ部１４を押下しているセグメント鉄心片１０の直下に配置されているセグメント鉄心片１０のかしめ部１４に嵌め合わせてかしめ積層すると共に、膨出部分３０を潰しピン３１で押圧する潰し加工を行うことにより、図４（Ｃ）に示すように、膨出部分３０を押して潰して平らにする。
【００３３】
ここで、膨出部分３０を平らにする潰し加工を、上下に配置されたセグメント鉄心片１０同士のかしめ積層と同時に行うので、潰しピン３１の直下にある連結部１１より下流側（帯状鉄心片１２の先側）のセグメント鉄心片１０は、既に形成された環状の積層体にかしめ積層されて固定状態となっており、連結部１１より上流側にあるかしめ積層されるセグメント鉄心片１０は、パイロットピン１７により位置決めされているので、膨出部分３０の潰し加工を行っても、連結部１１の両側にあるセグメント鉄心片１０が円周方向に移動することを防止できる。このため、連結部１１の両側にあるセグメント鉄心片１０の間に隙間が発生することを防止できる。
また、膨出部分３０が平らになって、折り曲げられた連結部１１の厚さはセグメント鉄心片１０の厚さと同一になるので、この連結部１１の上にセグメント鉄心片１０を配置してかしめ積層を行っても、上下のセグメント鉄心片１０の間に隙間が生じることを防止できる。
【００３４】
その結果、積層鉄心の厚みが均一になって形状精度が向上すると共に、かしめ結合強度が向上する。そして、従来のように、セグメント鉄心片に収容部を形成したり、セグメント鉄心片を薄肉化して逃げ部を形成することがないため、積層鉄心を回転子として使用する際に、回転時に異音の発生がなく、磁気特性も向上する。更に、潰し加工を、上下に配置されたセグメント鉄心片１０同士のかしめ積層と同時に行っているので、潰し加工とかしめ積層を同一の工程で実施することになって、積層鉄心の生産性を向上させることができる。
【００３５】
なお、膨出部分３０の潰し加工を行うと、折り曲げられた連結部１１を構成している材料がセグメント鉄心片１０の半径方向外側に移動するため、連結部１１には半径方向外側に突出する変形部分６６（図４（Ｃ）参照）が形成されるが、帯状鉄心片１２において、連結部１１の外側に半径方向内側に窪む切欠き２０が設けられているので、変形部分６６は切欠き２０内に収容される。このため、形成された積層鉄心の側周面から変形部分６６の先側が突出することが防止でき、積層鉄心の外周側の形状及び寸法精度を向上することができる。
【００３６】
以上、本発明を、実施の形態を参照して説明してきたが、本発明は何ら上記した実施の形態に記載した構成に限定されるものではなく、特許請求の範囲に記載されている事項の範囲内で考えられるその他の実施の形態や変形例も含むものである。
更に、本実施の形態とその他の実施の形態や変形例にそれぞれ含まれる構成要素を組合わせたものも、本発明に含まれる。
例えば、潰し加工を、上下に配置したセグメント鉄心片同士のかしめ積層と同時に行ったが、上下に配置したセグメント鉄心片をかしめ積層した後に、潰し加工を行ってもよい。この場合、かしめ潰し手段を、パイロットピン及びかしめピンを備えたかしめ金型と、かしめ金型を昇降するかしめ用昇降駆動機構と、潰しピンを備えた押圧金型と、押圧金型を昇降する押圧用昇降駆動機構で構成し、押圧金型をかしめ金型と帯状鉄心片１２の巻回開始位置との間に配置する必要がある。
【符号の説明】
【００３７】
１０：セグメント鉄心片、１１：連結部、１２：帯状鉄心片、１３、１３ａ：側端部、１４：かしめ部、１５：積層鉄心の製造装置、１６：掛止凹部、１７：パイロットピン、１８：パイロット孔、１９：磁石孔、２０：切欠き、２１：内側切欠き、２２：凹部、２３：凸部、２４：係合部、２５：搬送レーン、２６：回転台、２７：巻回手段、２９：かしめピン、３０：膨出部分、３１：潰しピン、３２：かしめ押圧金型、３３：かしめ潰し手段、３４：支持部材、３５：押えローラ、３６：円盤台、３７：回転テーブル、３８：回転軸、３９：動力伝達ベルト、４０：駆動モータ、４１：位置決め溝、４２：ドラム、４３：突起部、４４：側面押えローラ、４５：上側押えローラ、４６：高さ調整部材、４７：可動台、４８：昇降駆動機構、４９：ベースプレート、５０、５１：ガイドロッド、５２：水平プレート、５３：ピストンロッド、５４：油圧シリンダ、５５：保持機構、５６：箱状枠体、５７：上型、５８：側面押圧部材、５９、６０：前移動制限部材、６１：後移動制限部材、６２、６３：保持アーム、６４：固定部材、６５：位置決めピン、６６：変形部分
【図１】
0005908285.tif 000002
【図２】
0005908285.tif 000003
【図３】
0005908285.tif 000004
【図４】
0005908285.tif 000005
【図５】
0005908285.tif 000006
【図６】
0005908285.tif 000007
【図７】
0005908285.tif 000008